(57)【要約】【課題】不要なスプリアスの発生を防止することのできる高周波増幅装置および高周波増幅装置の歪除去方法を提供する。【解決手段】歪補償回路２は、外部から入力された無線周波数帯の信号に逆相の歪を加える。可変フィルタ４は、歪補償回路２の出力のうち、設定された通過周波数帯域の周波数成分のみを通過する。増幅器６は、可変フィルタ４の出力を増幅し、増幅されかつ正相の歪を含む信号を出力する。テーブル記憶部３２は、外部から入力される信号の増幅器６で発生する歪に影響する因子と、可変フィルタ４の通過周波数帯域との対応を定めたテーブルを記憶する。制御部３０は、テーブルを参照して、歪に影響する因子に対応する通過周波数帯域を特定し、可変フィルタ４の通過周波数帯域を特定した通過周波数帯域と同一に設定する。【選択図】図１
2010177911.tif 000002
【特許請求の範囲】
【請求項１】
外部から入力された無線周波数帯の信号に逆相の歪を加える歪補償回路と、
前記歪補償回路の出力のうち、設定された通過周波数帯域の周波数成分のみを通過する帯域制限回路と、
前記帯域制限回路の出力を増幅し、増幅されかつ正相の歪を含む信号を出力する増幅器と、
前記増幅器で発生する歪に影響する因子と、前記帯域制限回路の通過周波数帯域との対応を定めたテーブルを記憶する記憶部と、
前記テーブルを参照して、現時点の前記歪に影響する因子に対応する通過周波数帯域を特定し、前記帯域制限回路の通過周波数帯域を前記特定した通過周波数帯域と同一に設定する制御部とを備えた、高周波増幅装置。
【請求項２】
外部から入力された中間周波数帯の信号に逆相の歪を加える歪補償回路と、
前記歪補償回路の出力のうち、設定された通過周波数帯域の周波数成分のみを通過する帯域制限回路と、
ローカル信号を出力する局部発振回路と、
前記帯域制限回路の出力とローカル信号とを混合して、無線周波数帯の信号を出力するミキサと、
前記ミキサの出力を増幅し、増幅されかつ正相の歪を含む信号を出力する増幅器と、
前記増幅器で発生する歪に影響する因子と、前記帯域制限回路の通過周波数帯域との対応を定めたテーブルを記憶する記憶部と、
前記テーブルを参照して、現時点の前記歪に影響する因子に対応する通過周波数帯域を特定し、前記帯域制限回路の通過周波数帯域を前記特定した通過周波数帯域と同一に設定する制御部とを備えた、高周波増幅装置。
【請求項３】
前記高周波増幅装置は、無線送信装置に用いられ、
前記テーブルは、前記外部から入力される信号の変調方式と、前記帯域制限回路の通過周波数帯域との対応を定め、
前記制御部は、前記テーブルを参照して、現時点の前記外部から入力された信号の変調方式に対応する通過周波数帯域を特定し、前記帯域制限回路の通過周波数帯域を前記特定した通過周波数帯域と同一に設定する、請求項１または２記載の高周波増幅装置。
【請求項４】
前記高周波増幅装置は、さらに、
外部から入力された信号のピーク対平均電力比を測定する計測部を備え、
前記テーブルは、前記外部から入力される信号のピーク対平均電力比と、前記帯域制限回路の通過周波数帯域との対応を定め、
前記制御部は、前記テーブルを参照して、現時点の前記計測されたピーク対平均電力比に対応する通過周波数帯域を特定し、前記帯域制限回路の通過周波数帯域を前記特定した通過周波数帯域と同一に設定する、請求項１または２記載の高周波増幅装置。
【請求項５】
外部から入力された無線周波数帯の信号に逆相の歪を加える歪補償回路と、
前記歪補償回路の出力のうち、設定された通過周波数帯域の周波数成分のみを通過する帯域制限回路と、
前記帯域制限回路の出力を増幅し、増幅されかつ正相の歪を含む信号を出力する増幅器と、
前記増幅器で発生する歪の周波数帯域を検出する歪帯域検出回路と、
前記歪帯域制限回路の通過周波数帯域を前記検出された歪の周波数帯域と同一に設定する制御部とを備えた、高周波増幅装置。
【請求項６】
外部から入力された中間周波数帯の信号に逆相の歪を加える歪補償回路と、
前記歪補償回路の出力のうち、設定された通過周波数帯域の周波数成分のみを通過する帯域制限回路と、
ローカル信号を出力する局部発振回路と、
前記帯域制限回路の出力とローカル信号とを混合して、無線周波数帯の信号を出力するミキサと、
前記ミキサの出力を増幅し、増幅されかつ正相の歪を含む信号を出力する増幅器と、
前記増幅器で発生する歪の周波数帯域を検出する歪帯域検出回路と、
前記帯域制限回路の通過周波数帯域を前記検出された歪の周波数帯域に基づいて設定する制御部とを備えた、高周波増幅装置。
【請求項７】
増幅器で発生する歪に影響する因子と、帯域制限回路の通過周波数帯域との対応を定めたテーブルを記憶する記憶部を備えた高周波増幅装置の歪除去方法であって、
歪補償回路が、外部から入力された無線周波数帯の信号に逆相の歪を加えるステップと、
前記帯域制限回路が、前記歪補償回路の出力のうち、設定された通過周波数帯域の周波数成分のみを通過するステップと、
前記増幅器が、前記帯域制限回路の出力を増幅し、増幅されかつ正相の歪を含む信号を出力するステップと、
制御部が、前記テーブルを参照して、現時点の前記歪に影響する因子に対応する通過周波数帯域を特定し、前記帯域制限回路の通過周波数帯域を前記特定した通過周波数帯域と同一に設定するステップとを備えた、高周波増幅装置の歪除去方法。
【発明の詳細な説明】
【技術分野】
【０００１】
本発明は、高周波増幅装置および高周波増幅装置の歪除去方法に関し、特に、無線送信に用いられる高周波増幅装置および高周波増幅装置の歪除去方法に関する。
【背景技術】
【０００２】
従来から、高周波増幅器は、その非線形性から歪が生じることによって、信号対雑音比が劣化することが指摘されている。歪の低減化を図るためにたとえば特許文献１では、プリディストーション方式が開示されている。プリディストーション方式とは、高周波増幅器の前段に、歪補償回路を設けて逆相の歪を発生させ、高周波増幅器で発生する正相の歪と相殺させる方式である。
【先行技術文献】
【特許文献】
【０００３】
【特許文献１】特開平６−１１２７３６号公報
【発明の概要】
【発明が解決しようとする課題】
【０００４】
しかしながら、特許文献１に記載の歪補償回路では、高周波増幅器で発生する歪の周波数帯域以外の周波数帯域にも歪が発生し、不要なスプリアスを発生させる。
【０００５】
それゆえに、本発明の目的は、不要なスプリアスの発生を防止することのできる高周波増幅装置および高周波増幅装置の歪除去方法を提供することである。
【課題を解決するための手段】
【０００６】
上記課題を解決するために、本発明の高周波増幅装置は、外部から入力された無線周波数帯の信号に逆相の歪を加える歪補償回路と、歪補償回路の出力のうち、設定された通過周波数帯域の周波数成分のみを通過する帯域制限回路と、帯域制限回路の出力を増幅し、増幅されかつ正相の歪を含む信号を出力する増幅器と、増幅器で発生する歪に影響する因子と、帯域制限回路の通過周波数帯域との対応を定めたテーブルを記憶する記憶部と、テーブルを参照して、現時点の歪に影響する因子に対応する通過周波数帯域を特定し、帯域制限回路の通過周波数帯域を特定した通過周波数帯域と同一に設定する制御部とを備える。
【０００７】
また、本発明の高周波増幅装置は、外部から入力された中間周波数帯の信号に逆相の歪を加える歪補償回路と、歪補償回路の出力のうち、設定された通過周波数帯域の周波数成分のみを通過する帯域制限回路と、ローカル信号を出力する局部発振回路と、帯域制限回路の出力とローカル信号とを混合して、無線周波数帯の信号を出力するミキサと、ミキサの出力を増幅し、増幅されかつ正相の歪を含む信号を出力する増幅器と、増幅器で発生する歪に影響する因子と、帯域制限回路の通過周波数帯域との対応を定めたテーブルを記憶する記憶部と、テーブルを参照して、現時点の歪に影響する因子に対応する通過周波数帯域を特定し、帯域制限回路の通過周波数帯域を特定した通過周波数帯域と同一に設定する制御部とを備える。
【０００８】
好ましくは、高周波増幅装置は、無線送信装置に用いられ、テーブルは、外部から入力される信号の変調方式と、帯域制限回路の通過周波数帯域との対応を定め、制御部は、テーブルを参照して、現時点の外部から入力された信号の変調方式に対応する通過周波数帯域を特定し、帯域制限回路の通過周波数帯域を特定した通過周波数帯域と同一に設定する。
【０００９】
好ましくは、高周波増幅装置は、さらに、外部から入力された信号のピーク対平均電力比を測定する計測部を備え、テーブルは、外部から入力される信号のピーク対平均電力比と、帯域制限回路の通過周波数帯域との対応を定め、制御部は、テーブルを参照して、現時点の計測されたピーク対平均電力比に対応する通過周波数帯域を特定し、帯域制限回路の通過周波数帯域を特定した通過周波数帯域と同一に設定する。
【００１０】
好ましくは、外部から入力された無線周波数帯の信号に逆相の歪を加える歪補償回路と、歪補償回路の出力のうち、設定された通過周波数帯域の周波数成分のみを通過する帯域制限回路と、帯域制限回路の出力を増幅し、増幅されかつ正相の歪を含む信号を出力する増幅器と、増幅器で発生する歪の周波数帯域を検出する歪帯域検出回路と、歪帯域制限回路の通過周波数帯域を検出された歪の周波数帯域と同一に設定する制御部とを備える。
【００１１】
また、本発明の高周波増幅装置は、外部から入力された中間周波数帯の信号に逆相の歪を加える歪補償回路と、歪補償回路の出力のうち、設定された通過周波数帯域の周波数成分のみを通過する帯域制限回路と、ローカル信号を出力する局部発振回路と、帯域制限回路の出力とローカル信号とを混合して、無線周波数帯の信号を出力するミキサと、ミキサの出力を増幅し、増幅されかつ正相の歪を含む信号を出力する増幅器と、増幅器で発生する歪の周波数帯域を検出する歪帯域検出回路と、帯域制限回路の通過周波数帯域を検出された歪の周波数帯域に基づいて設定する制御部とを備える。
【００１２】
また、本発明は、増幅器で発生する歪に影響する因子と、帯域制限回路の通過周波数帯域との対応を定めたテーブルを記憶する記憶部を備えた高周波増幅装置の歪除去方法であって、歪補償回路が、外部から入力された無線周波数帯の信号に逆相の歪を加えるステップと、帯域制限回路が、歪補償回路の出力のうち、設定された通過周波数帯域の周波数成分のみを通過するステップと、増幅器が、帯域制限回路の出力を増幅し、増幅されかつ正相の歪を含む信号を出力するステップと、制御部が、テーブルを参照して、現時点の歪に影響する因子に対応する通過周波数帯域を特定し、帯域制限回路の通過周波数帯域を特定した通過周波数帯域と同一に設定するステップとを備える。
【発明の効果】
【００１３】
本発明によれば、不要なスプリアスの発生を防止することができる。
【図面の簡単な説明】
【００１４】
【図１】第１の実施形態の高周波増幅装置の構成を表わす図である。
【図２】第１の実施形態のテーブルの例を表わす図である。
【図３】可変フィルタを設けない従来の高周波増幅装置の歪の周波数成分を説明するための図である。
【図４】可変フィルタを設けた本発明の実施形態の高周波増幅装置の歪の周波数成分を説明するための図である。
【図５】第１の実施形態の高周波増幅装置における歪除去の動作手順を表わすフローチャートである。
【図６】第１の実施形態の変形例のテーブルの例を表わす図である。
【図７】第２の実施形態の高周波増幅装置の構成を表わす図である。
【図８】第２の実施形態の高周波増幅装置における歪除去の動作手順を表わすフローチャートである。
【図９】第３の実施形態の高周波増幅装置の構成を表わす図である。
【図１０】第３の実施形態の高周波増幅装置における歪除去の動作手順を表わすフローチャートである。
【図１１】第４の実施形態の高周波増幅装置の構成を表わす図である。
【図１２】第４の実施形態の高周波増幅装置における歪除去の動作手順を表わすフローチャートである。
【発明を実施するための形態】
【００１５】
以下、本発明の実施形態について図面を参照して説明する。
［第１の実施形態］
（構成）
図１は、第１の実施形態の高周波増幅装置の構成を表わす図である。この高周波増幅装置は、無線送信装置などに用いられる。
【００１６】
図１を参照して、この高周波増幅装置５１は、歪補償回路２と、増幅器６と、可変フィルタ４と、計測部１と、制御部３２と、テーブル記憶部３２とを備える。
【００１７】
歪補償回路２は、ガリウム砒素（ＧａＡｓ）ＦＦＴ(Field Effect Transistor)で構成されるＲＦドライバアンプである。歪補償回路２は、外部から入力される中心周波数がｆ０の無線周波数帯の信号ＳＩを増幅し、増幅され、かつ逆相の歪を含む信号ＳＡを出力する。
【００１８】
可変フィルタ４は、入力される信号ＳＡのうち、制御部３２で指定された通過周波数帯域の周波数成分のみを含む信号ＳＢを出力する。
【００１９】
増幅器６は、ＬＤＭＯＳＦＥＴ(Lateral Diffused Metal Oxide Semiconductor Field Effect Transistor)で構成されるＲＦドライバアンプである。増幅器６は、入力される信号ＳＢを増幅し、増幅され、かつ正相の歪を含む信号ＳＯを出力する。歪補償回路２を構成するＧａＡｓＦＦＴと増幅器６を構成するＬＤＭＯＳＦＥＴとは、物性の違いによって、互いに逆相の歪を発生する。
【００２０】
計測部１は、外部から入力される信号ＳＩのＰＲＰＲを測定する。
テーブル記憶部３２は、テーブルを記憶する。
【００２１】
図２は、第１の実施形態のテーブルの例を表わす図である。
図２を参照して、このテーブルは、外部から入力される信号ＳＩのピーク対平均電力比（Peak-to-Average Power Ratio:ＰＲＰＲ）と帯域幅Δｆとの対応を定める。たとえば、ＰＲＰＲが「３」（ｄＢ）は、帯域幅が「１０」（ＭＨｚ）に対応する。外部から入力される信号ＳＩのＰＲＰＲは、増幅器６で発生する歪に影響する因子である。
【００２２】
制御部３２は、テーブルを参照して、計測部１で計測された現時点のＰＲＰＲに対応する帯域幅Δｆを特定する。制御部３２は、可変フィルタ４の通過周波数帯域を中心周波数ｆ０を中心とし特定した帯域幅Δｆの周波数帯域に設定する。
【００２３】
図３は、可変フィルタ４を設けない従来の高周波増幅装置５１の歪の周波数成分を説明するための図である。
【００２４】
図３（ａ）は、歪補償回路２に外部から中心周波数がｆ０の無線周波数帯の信号が入力されたときに出力される信号に含まれる逆位相の歪Ａの周波数成分を表わす。図３（ａ）を参照して、逆位相の歪Ａの周波数成分は、中心周波数ｆ０を中心としたΔｆ２の帯域幅の周波数帯域に含まれる。
【００２５】
図３（ｂ）は、増幅器６に外部から中心周波数がｆ０の無線周波数帯の信号が入力されたときに出力される信号の周波数成分を表わす図である。図３（ｂ）を参照して、増幅器６から出力される信号に含まれる正相の歪Ｂの周波数成分は、中心周波数ｆ０を中心としたΔｆの帯域幅の周波数帯域に含まれる。
【００２６】
図３（ｃ）は、図３（ｂ）の増幅器６から出力される信号に、図３（ａ）の歪Ａを加えた信号の周波数成分を表わす図である。図３（ｃ）を参照して、逆位相の歪Ａを加えることによって、歪Ａと歪Ｂの同一の周波数成分では歪が除去される。しかし、歪Ａは歪Ｂに含まれない周波数成分を含むため、歪Ｂに含まれない周波数帯域において歪Ａが残る。
【００２７】
図４は、可変フィルタ４を設けた本発明の実施形態の高周波増幅装置５１の歪の周波数成分を説明するための図である。
【００２８】
図４（ａ）は、歪補償回路２に中心周波数がｆ０の無線周波数帯の信号が入力されたときに出力される信号をさらに可変フィルタ４に入力し、可変フィルタ４から出力される信号に含まれる逆位相の歪Ａの周波数成分を表わす図である。図４（ａ）を参照して、可変フィルタ４は、中心周波数ｆ０を中心としてΔｆの帯域幅の周波数帯域の周波数成分のみを通すため、逆位相の歪Ａの周波数成分は、中心周波数ｆ０を中心としたΔｆの帯域幅の周波数帯域に含まれる。
【００２９】
図４（ｂ）は、中心周波数がｆ０の無線周波数帯の信号が入力された増幅器６から出力される信号の周波数成分を表わす図である。図４（ｂ）を参照して、増幅器６から出力される信号に含まれる正相の歪Ｂの周波数成分は、中心周波数ｆ０を中心としたΔｆの帯域幅の周波数帯域に含まれる。
【００３０】
図４（ｃ）は、図４（ｂ）の増幅器６から出力される信号に、図４（ａ）の歪Ａを加えた信号の周波数成分を表わす図である。図４（ｃ）を参照して、逆位相の歪Ａを加えることによって、歪Ａと歪Ｂの同一の周波数成分では歪が除去される。歪Ａと歪Ｂは、同一の周波数成分を有するため、すべての周波数帯域において歪が除去される。つまり、テーブルに、ＰＲＰＲに対応する帯域幅を、増幅器６で発生する正相の歪Ｂの帯域幅と等しくなるように設定することによって、すべての周波数帯域において歪が除去されることになる。
【００３１】
（動作）
図５は、第１の実施形態の高周波増幅装置５１における歪除去の動作手順を表わすフローチャートである。
【００３２】
図５を参照して、まず、計測部１が、外部から入力される中心周波数がｆ０の無線周波数帯の信号ＳＩのＰＲＰＲを測定する。制御部３２は、テーブルに基づいて、可変フィルタ４の通過周波数帯域を信号ＳＩの現時点のＰＲＰＲに対応する通過周波数帯域に設定する（ステップＳ１０１）。
【００３３】
次に、歪補償回路２は、信号ＳＩを増幅し、増幅されかつ逆相の歪を含む信号ＳＡを出力する（ステップＳ１０２）。
【００３４】
可変フィルタ４は、信号ＳＡのうち、制御部３２で設定された通過周波数帯域の周波数成分のみを含む信号ＳＢを出力する（ステップＳ１０３）。
【００３５】
増幅器６は、信号ＳＢを増幅し、増幅されかつ正相の歪を含む信号ＳＯを出力する。逆相の歪と正相の歪の周波数成分が等しいため、出力信号ＳＯは、すべての周波数帯域において歪を含まない（ステップＳ１０４）。
【００３６】
以上のように、本発明の実施形態の高周波増幅装置５１によれば、増幅器６で出力する歪に影響する因子である、外部から入力される信号のＰＲＰＲと可変フィルタ４の周波数帯域との対応をテーブルで定めるので、テーブルの対応関係を実験などによって正しく設定することによって、歪補償回路２で発生した逆相の歪の周波数帯域を増幅器６で発生する正相の歪の周波数帯域を同じにすることができ、出力信号ＳＯの歪がすべての周波数帯域において除去される。
【００３７】
［第１の実施形態の変形例１］
図６は、第１の実施形態の変形例のテーブルの例を表わす図である。
【００３８】
図６を参照して、このテーブルは、外部から入力される信号ＳＩの変調方式と帯域幅Δｆとの対応を定める。たとえば、変調方式が「３」（ｄＢ）は、帯域幅が「１０」（ＭＨｚ）に対応する。外部から入力される信号ＳＩの変調方式は、増幅器で発生する歪に影響する因子である。
【００３９】
制御部３２は、テーブルを参照して、外部から入力される信号ＳＩの現時点の変調方式に対応する帯域幅Δｆを特定する。制御部３２は、可変フィルタの通過周波数帯域を中心周波数ｆ０を中心とし特定した帯域幅Δｆの周波数帯域に設定する。
【００４０】
［第１の実施形態の変形例２］
増幅器６で発生する歪に影響する因子には、その他に高周波増幅装置５１の温度がある。したがって、テーブルが高周波増幅装置５１の温度と帯域幅Δｆとの対応を定め、計測部が高周波増幅装置５１の温度を計測し、制御部３２がテーブルを参照して、計測した現時点の温度に対応する帯域幅Δｆを特定することとしてもよい。
【００４１】
［第２の実施形態］
（構成）
図７は、第２の実施形態の高周波増幅装置の構成を表わす図である。
【００４２】
図７を参照して、この高周波増幅装置５２は、第１の実施形態と同様に、増幅器６と、計測部１と、制御部３０と、テーブル記憶部３２とを備える。これらについては、説明を繰り返さない。第２の実施形態の高周波増幅装置５２は、さらに局部発振器１２とミキサ１４とを備える。また、第２の実施形態の歪補償回路１０２および可変フィルタ１０４は、中間周波数帯の信号で動作する。
【００４３】
局部発振器１２は、周波数ｆ１のローカル信号ＬＯを出力する。
ミキサ１４は、可変フィルタ１０４から出力される信号ＳＢとローカル信号ＬＯとを混合して、中心周波数がｆ０＋ｆ１の無線周波数帯の信号ＳＣを出力する。
【００４４】
（動作）
図８は、第２の実施形態の高周波増幅装置５２における歪除去の動作手順を表わすフローチャートである。
【００４５】
図８を参照して、まず、計測部１が、外部から入力される中心周波数がｆ０の中間周波数帯の信号ＳＩのＰＲＰＲを測定する。制御部３０は、テーブルに基づいて、可変フィルタ１０４の通過周波数帯域を信号ＳＩの現時点のＰＲＰＲに対応する通過周波数帯域に設定する（ステップＳ２０１）。
【００４６】
次に、歪補償回路１０２は、信号ＳＩを増幅し、増幅されかつ逆相の歪を含む信号ＳＡを出力する（ステップＳ２０２）。
【００４７】
次に、可変フィルタ１０４は、信号ＳＡのうち、制御部３０で設定された通過周波数帯域の周波数成分のみを含む信号ＳＢを出力する（ステップＳ２０３）。
【００４８】
次に、ミキサ１４は、可変フィルタ１０４から出力される信号ＳＢとローカル信号ＬＯとを混合して、中心周波数がｆ０＋ｆ１の無線周波数帯の信号ＳＣを出力する（ステップＳ２０４）。
【００４９】
次に、増幅器６は、信号ＳＣを増幅し、増幅されかつ正相の歪を含む信号ＳＯを出力する。逆相の歪と正相の歪の周波数成分が等しいため、出力信号ＳＯは、すべての周波数帯域において歪を含まない（ステップＳ２０５）。
【００５０】
以上のように、本発明の実施形態の高周波増幅装置５２によれば、第１の実施形態と同様に、歪補償回路１０２で発生した逆相の歪の周波数帯域を増幅器６で発生する正相の歪の周波数帯域と同じにするので、出力信号ＳＯの歪がすべての周波数帯域において除去される。さらに、本発明の実施形態では、歪補償回路１０２および可変フィルタ１０４の動作範囲を中間周波数帯にすることができるので、広帯域化やゲインの調整などが容易となる。
【００５１】
［第３の実施形態］
（構成）
図９は、第３の実施形態の高周波増幅装置の構成を表わす図である。
【００５２】
図９を参照して、この高周波増幅装置５３は、第１の実施形態と同様に、歪補償回路２と、増幅器６と、可変フィルタ４とを備える。この高周波増幅装置５３は、第１の実施形態と異なる制御部８を備え、計測部１およびテーブル記憶部３２の代わりに、歪帯域検出部１６を備える。
【００５３】
歪帯域検出部１６は、増幅器６で発生する歪の周波数帯域を検出する。具体的には、歪帯域検出部１６は、複数個のフィルタ２６−１〜２６−Ｌと、複数個の検波器２４−１〜２４−Ｌとを備える。
【００５４】
第ｉ番目のフィルタ２６−ｉは、信号ＳＯのｇi〜ｇi+1の周波数帯域のみを通過させる。ここで、周波数ｇ1〜ｇL+1は、無線周波数帯の信号ＳＩの中心周波数ｆ０よりも大きな値である。
【００５５】
第ｉ番目の検波器２４−ｉは、第ｉ番目のフィルタ２６−ｉから出力される信号を検波する。
【００５６】
制御部８は、複数個の検波器２４−１〜２４−Ｌからの出力に基づいて、可変フィルタ４の通過周波数帯域を設定する。制御部８は、第１〜第ｊ番目の検波器２４−１〜２４−ｊで検波され、第（ｊ＋１）〜第Ｌ番目の検波器で検波されない場合は、（２×ｆ０−ｇj+1）〜ｇj+1を可変フィルタ４の通過周波数帯域に設定する。
【００５７】
（動作）
図１０は、第３の実施形態の高周波増幅装置５３における歪除去の動作手順を表わすフローチャートである。
【００５８】
図１０を参照して、まず、歪帯域検出部１６は、増幅器６で発生する歪の周波数帯域を検出する。制御部８は、歪帯域検出部１６の出力に基づいて、可変フィルタ４の通過周波数帯域を設定する（ステップＳ３０１）。
【００５９】
次に、歪補償回路２は、外部から入力される中心周波数がｆ０の無線周波数帯の信号ＳＩを増幅し、増幅されかつ逆相の歪を含む信号ＳＡを出力する（ステップＳ３０２）。
【００６０】
可変フィルタ４は、信号ＳＡのうち、制御部８で設定された通過周波数帯域の周波数成分のみを含む信号ＳＢを出力する（ステップＳ３０３）。
【００６１】
増幅器６は、信号ＳＢを増幅し、増幅されかつ正相の歪を含む信号ＳＯを出力する。逆相の歪と正相の歪の周波数成分が等しいため、出力信号ＳＯは、すべての周波数帯域において歪を含まない（ステップＳ３０４）。
【００６２】
以上のように、本発明の実施形態の高周波増幅装置５３によれば、増幅器６で出力する正相の歪の周波数帯域を検出して、歪補償回路２で発生した逆相の歪の周波数帯域を検出した正相の周波数帯域と同じにするので、出力信号ＳＯの歪がすべての周波数帯域において除去される。
【００６３】
［第４の実施形態］
図１１は、第４の実施形態の高周波増幅装置の構成を表わす図である。
【００６４】
図１を参照して、この高周波増幅装置５４は、第２の実施形態と同様に、歪補償回路１０２と、増幅器６と、可変フィルタ１０４と、局部発振器１２と、ミキサ１４とを備える。この高周波増幅装置５４は、第２の実施形態と異なる制御部１０を備え、計測部１およびテーブル記憶部３２の代わりに、歪帯域検出部１６を備える。
【００６５】
歪帯域検出部１６は、増幅器６で発生する歪の周波数帯域を検出する。具体的には、歪帯域検出部１６は、複数個のフィルタ２６−１〜２６−Ｌと、複数個の検波器２４−１〜２４−Ｌとを備える。
【００６６】
第ｉ番目のフィルタ２６−ｉは、信号ＳＯのｇi〜ｇi+1の周波数帯域のみを通過させる。ここで、周波数ｇ1〜ｇL+1は、無線周波数帯の信号ＳＯの中心周波数ｆ０＋ｆ１よりも大きな値である。
【００６７】
第ｉ番目の検波器２４−ｉは、第ｉ番目のフィルタ２６−ｉから出力される信号を検波する。
【００６８】
制御部１０、複数個の検波器２４−１〜２４−Ｌからの出力に基づいて、可変フィルタ１０４の通過周波数帯域を設定する。制御部１０は、第１〜第ｊ番目の検波器２４−１〜２４−ｊで検波され、第（ｊ＋１）〜第Ｌ番目の検波器で検波されない場合は、（２×ｆ０＋ｆ１−ｇj+1）〜（ｇj+1−ｆ１）を可変フィルタ１０４の通過周波数帯域に設定する。
【００６９】
（動作）
図１２は、第４の実施形態の高周波増幅装置における歪除去の動作手順を表わすフローチャートである。
【００７０】
図１２を参照して、まず、歪帯域検出部１６は、増幅器６で発生する歪の周波数帯域を検出する。制御部１０は、歪帯域検出部１６の出力に基づいて、可変フィルタ１０４の通過周波数帯域を設定する（ステップＳ４０１）。
【００７１】
次に、歪補償回路１０２は、外部から入力される中心周波数がｆ０の中間周波数帯の信号ＳＩを増幅し、増幅されかつ逆相の歪を含む信号ＳＡを出力する（ステップＳ４０２）。
【００７２】
次に、可変フィルタ１０４は、信号ＳＡのうち、制御部１０で設定された通過周波数帯域の周波数成分のみを含む信号ＳＢを出力する（ステップＳ４０３）。
【００７３】
次に、ミキサ１４は、可変フィルタ１０４から出力される信号ＳＢとローカル信号ＬＯとを混合して、中心周波数がｆ０＋ｆ１の無線周波数帯の信号ＳＣを出力する（ステップＳ４０４）。
【００７４】
次に、増幅器６は、信号ＳＣを増幅し、増幅されかつ正相の歪を含む信号ＳＯを出力する。逆相の歪と正相の歪の周波数成分が等しいため、出力信号ＳＯは、すべての周波数帯域において歪を含まない（ステップＳ４０５）。
【００７５】
以上のように、本発明の実施形態の高周波増幅装置によれば、増幅器で出力する正相の歪の周波数帯域を検出して、歪補償回路で発生した逆相の歪の周波数帯域を検出した正相の周波数帯域に基づいて設定するので、出力信号ＳＯの歪がすべての周波数帯域において除去される。さらに、本発明の実施形態の高周波増幅装置は、第２の実施形態と同様に、歪補償回路および可変フィルタの動作範囲を中間周波数帯にすることができるので、広帯域化やゲインの調整などが容易となる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
５１，５２，５３，５４  高周波増幅装置、１  計測部、２，１０２  歪補償回路、４，１０４  可変フィルタ、６  増幅器、１２  局部発振器、１４  ミキサ、１６  歪帯域検出回路、２６−１〜２６−Ｌ  フィルタ、２４−１〜２４−Ｌ  検波器、３０  制御部、３２  テーブル記憶部。
【図１】
2010177911.tif 000003
【図２】
2010177911.tif 000004
【図３】
2010177911.tif 000005
【図４】
2010177911.tif 000006
【図５】
2010177911.tif 000007
【図６】
2010177911.tif 000008
【図７】
2010177911.tif 000009
【図８】
2010177911.tif 000010
【図９】
2010177911.tif 000011
【図１０】
2010177911.tif 000012
【図１１】
2010177911.tif 000013
【図１２】
2010177911.tif 000014